(57)【要約】【課題】文房具、雑貨等の比較的小形の物品（商品）を、たとえば缶等の密閉可能な密閉用容器内に密閉包装して持ち帰ることができるようにする自動密閉包装販売機の提供。【解決手段】モータにより回転可能な垂直回転軸を設け、該垂直回転軸には、先端部に容器受孔を設けてなる回転アームを水平回転可能に取り着け、さらに前記垂直回転軸を中心とする周方向には、前記回転アームに支持されている空の密閉用容器内に物品を収納可能とするための物品投入口および所定額コインが投入されると前記物品投入口が開放可能となる開閉扉を設けた空容器待機部、密閉用容器の開口に蓋板を被せるための蓋供給手段を設けた蓋供給部、密閉用容器と蓋板とをシールする容器シール手段を設けた蓋密閉部、密閉容器を販売機外に排出させる密閉容器排出部、回転アームに新たな空の密閉用容器を供給する空容器供給手段を設けた空容器供給部を順に配設した。【選択図】　　図１
2004070774.tif 000002
【特許請求の範囲】
【請求項１】
モータにより回転可能な垂直回転軸を設け、該垂直回転軸には、先端部に容器受孔を設けてなる回転アームを水平回転可能に取り着け、さらに前記垂直回転軸を中心とする周方向には、空容器待機部、蓋供給部、蓋密閉部、密閉容器排出部、空容器供給部の順で配設し、前記空容器待機部には、前記回転アームに設けられている容器受孔内で支持されている空の密閉用容器内に物品を収納可能とするための物品投入口と、常時は前記物品投入口を閉塞しているが、所定額のコインが投入されると前記物品投入口が開放可能となる開閉扉を設け、前記蓋供給部には、回転アームの容器受孔内で支持されている物品収納の密閉用容器の開口に蓋板を被せるための蓋供給手段を設け、前記蓋密閉部には、回転アームの容器受孔内で支持されている物品収納の密閉用容器の開口とその開口に被されているに蓋板とをシールする容器シール手段を設け、前記密封容器排出部には、回転アームの容器受孔内で支持されている密閉完了の密閉容器を販売機外に排出させる排出手段を設け、前記空容器供給部には、密閉容器が排出された後の回転アームの容器受孔内に新たな空の密閉用容器を、その密閉用容器の開口を上向きとして供給するための空容器供給手段を設け、前記物品投入口から回転アームに支持されている空の密閉用容器内に物品を投入し、前記開閉扉を閉塞すると前記回転アームが回転し、物品を収容した密閉用容器が、回転アームとともに蓋供給部、蓋密閉部、密閉容器排出部の順で間欠的に回転して、この間欠回転の過程で密閉用容器内に収納されている物品が密閉包装されて販売機外へ排出されることを特徴とする自動密閉包装販売機。
【請求項２】
物品投入口の口径は、密閉用容器の内径と略等しく形成して、密閉用容器に形成されているシール用鍔の辺縁が、物品投入口の下側で隠蔽されていることを特徴とする請求項１に記載の自動密閉包装販売機。
【請求項３】
物品供給手段には、空の密閉用容器内に投入する物品の大きさを規制するサイズ検出手段を設けていることを特徴とする請求項１に記載の自動密閉包装販売機。
【発明の詳細な説明】
【０００１】
【発明の属する技術分野】
本発明は、たとえば文房具、雑貨等の比較的小形の物品（商品）を購入した者などが、その購入物品を、たとえば缶等の密閉可能な密閉用容器内に密閉包装して持ち帰ることができるようにする自動密閉包装販売機に関するものである。
【０００２】
【従来の技術】
最近では、商品販売競争の激化等に伴ない、面白味や珍しさのあるアイデア商品の販売や販売方法、また可愛さがあって子供や女子学生等が好むような文房具、装身用アクセサリー、雑貨等の多種多様な商品の販売とそれに伴なう消費量が目立つようになっており、またゲームセンター等においてもユニークな珍しい多品種の景品等が取扱われているのが現状である。
【０００３】
これら購入物品は、購入者自身が使用する外に、記念品、土産品などの贈答品として購入されることが多く、特に贈答品の場合は体裁の良い包装（ラッピング）が要求される。通常、販売店等で扱われている商品の一般的な包装（ラッピング）は、包装用の箱、袋、紙などを用いて包装されるものであって、その商品を、気密または水密的に密閉包装（カプセル化）されるものではない。
【０００４】
また最近では、ユニークな考えとして、現代の物品や書物等を次世代に残し、または承継させることを目的として一般人が個人的にタイムカプセルを作るという発想や、贈り物をカプセル化して他人に贈答したいという発想があるが、それらのタイムカプセルの作成には、所定の品物を水密状態で保存するための缶や瓶等の密閉可能でしかも耐久性のある容器と、それらの容器内に物品を気密、液密に収容するための密閉装置が必要となる。
【０００５】
ところが、密閉可能なたとえば缶などの容器内に物品を密閉収納せしめるための装置は一般的に存在するものではなく、したがって物品を購入した一般的な消費者が自分の趣向に合わせて、例えば缶、瓶、樹脂容器などの密閉可能な適宜容器内に、物品を密閉包装することは不可能なことであった。
【０００６】
【発明が解決しようとする課題】
本発明は、かかることに着目してなされたもので、例えば所定の小物物品を購入した一般消費者が、その物品を購入したその場で缶、瓶、樹脂容器等の密閉可能な容器内に収納包装せしめることができるようにして、物品を購入した大人あるいは子供、学生等であっても、その購入物品を密閉可能な容器内に密閉包装して、趣向や贈答に適したオリジナルの密閉包装物品（カプセル化物品）を容易かつ確実に作成することができる自動密閉包装販売機の提供を第１の目的とする。
【０００７】
また本発明は、密閉包装可能な所定サイズ（所定体積）の物品を、密閉包装装置内に備え付けの密閉可能容器内に収容するとともに、定額のコインをその装置内に投入することで、物品が収納されている容器に対し閉蓋と、該蓋と容器とのシーリングとが順次自動的になされるようにして、所定物品の密閉包装を、自動で人力を煩わせることなく、しかも誰しもが密閉包装物品を容易に手にすることのできる自動密閉包装販売機の提供を第２の目的とする。
【０００８】
【課題を解決するための手段】
上記第１の目的および第２の目的は、請求項１に記載の自動密閉包装販売機、すなわち、モータにより回転可能な垂直回転軸を設け、該垂直回転軸には、先端部に容器受孔を設けてなる回転アームを水平回転可能に取り着け、さらに前記垂直回転軸を中心とする周方向には、空容器待機部、蓋供給部、蓋密閉部、密閉容器排出部、空容器供給部の順で配設し、前記空容器待機部には、前記回転アームに設けられている容器受孔内で支持されている空の密閉用容器内に物品を収納可能とするための物品投入口と、常時は前記物品投入口を閉塞しているが、所定額のコインが投入されると前記物品投入口が開放可能となる開閉扉を設け、前記蓋供給部には、回転アームの容器受孔内で支持されている物品収納の密閉用容器の開口に蓋板を被せるための蓋供給手段を設け、前記蓋密閉部には、回転アームの容器受孔内で支持されている物品収納の密閉用容器の開口とその開口に被されているに蓋板とをシールする容器シール手段を設け、前記密封容器排出部には、回転アームの容器受孔内で支持されている密閉完了の密閉容器を販売機外に排出させる排出手段を設け、前記空容器供給部には、密閉容器が排出された後の回転アームの容器受孔内に新たな空の密閉用容器を、その密閉用容器の開口を上向きとして供給するための空容器供給手段を設け、前記物品投入口から回転アームに支持されている空の密閉用容器内に物品を投入し、前記開閉扉を閉塞すると前記回転アームが回転し、物品を収容した密閉用容器が、回転アームとともに蓋供給部、蓋密閉部、密閉容器排出部の順で間欠的に回転して、この間欠回転の過程で密閉用容器内に収納されている物品が密閉包装されて販売機外へ排出される自動密閉包装販売機により達成される。
【０００９】
また本発明の好ましい実施形態である物品供給手段に設けられている物品投入口の口径は、密閉用容器の内径と略等しく形成して、密閉用容器に形成されているシール用鍔の辺縁が、物品投入口の下側で隠蔽されていることを特徴としている。
【００１０】
また本発明の好ましい実施形態である物品供給手段は、空の密閉用容器内に投入する物品の大きさを規制するサイズ検出手段を設けていることを特徴としている。
【００１１】
【作用】
本発明によれば、所定額のコインを自動密閉包装販売機内に投入すると、開閉扉が開かれるので、機内に置かれている空の密閉用容器内に、封入すべき所定サイズ以下の物品を投入することができる。物品の投入が済むと該物品を収容した密閉用容器は、蓋供給部、蓋密閉部、封入包装容器排出部、空容器供給部の順で自動的に間欠回動し、先ずは蓋供給部にて、物品を収容した密閉用容器の開口に蓋が自動的に被せられる。
【００１２】
次いでその密閉用容器が蓋板と共に蓋密閉部へ自動的に移送され、この蓋密閉部において密閉用容器の開口縁と蓋板とがシールされて物品が密閉用容器内で自動的に密閉包装される。かくして密閉用容器と蓋板とで密閉包装された物品は、密閉容器とともに販売機外へ自動的に排出されるので、その密封包装物品（カプセル化物品）を受け取ることができる。
【００１３】
【発明の実施の形態】
以下に、本発明を図面に示す実施の形態に基づいて詳細に説明する。
【００１４】
図１は、本実施の形態である自動密閉包装販売機の正面概略図、図２は、その平面概略図、図３は、該自動密閉包装販売機の特に空容器待機部、および蓋密閉部の構成を示す要部断面説明図、図４は、空容器待機部の構成を示す拡大図、図５は、蓋密閉部に使用されているシーミングロールの説明図、図６は、蓋供給部の説明図、図７は、その平面図、図８は、蓋受片の動作説明図、図９は、密閉容器排出部に設けられた排出手段の説明図、図１０は、空容器供給手段の説明図、図１１は、その平面図を示す。
【００１５】
１は、自動密閉包装販売機の全体を示し、その自動密閉包装販売機（以下これを単に販売機と称す）１の正面中央部には被包装物を、販売機１内に設備されている密閉用容器２の内部に収納するための物品投入口３を穿設している水平テーブル部４と、販売機１内で包装物を密封した容器を販売機１外に排出するための排出口５と、コイン投入口６、およびコインまたはつり銭の戻し口７のそれぞれが設けられており、さらに上記水平テーブル部４の上面には、ヒンジ９により開閉可能であって、常時は上記物品投入口３を閉塞する開閉扉８が設けられている。この密閉用容器２は、本実施例では、鉄、またはアルミなどの金属性の缶を使用しているが、これに限るものではなく樹脂製の容器を使用することも可能である。
【００１６】
また、販売機１の内部中央部には、モータ１７の駆動力により回転される垂直回転軸１８が設けられており、この垂直回転軸１８には、モータ１７の回転に伴ない水平方向に間欠回転される回転アーム１９の一端部が取付けられていて、モータ１７の回転に伴ない水平方向に間欠回転されるものである。またこの回転アーム１９の先端部には、上記密閉用容器２を嵌合保持するための容器受孔２０が設けられている。
【００１７】
モータ１７の回転により垂直回転軸１８を介して水平方向に回転される回転アーム１９の先端部に設けている容器受孔２０の回転軌跡Ｒ（図２参照）の軌跡上には、上記の物品投入口３および開閉扉８を含む空容器待機部Ａと、この空容器待機部Ａから反時計方向に向かって隔設されている蓋供給部Ｂ、蓋密閉部Ｃ、封入包装容器排出部Ｄ、空容器供給部Ｅのそれぞれが、垂直回転軸１８を中心とする円周方向に沿って順次配設されている。
【００１８】
そこで、先ずは空容器待機部Ａについて説明する。この空容器待機部Ａには、物品供給手段ａが設けられているが、この物品供給手段ａは、図３で示しているように、水平に設けられているヒンジ９により開閉可能に軸支されている開閉扉８の内面には係止環１０が取りつけられており、この開閉扉８による物品投入口３の閉塞時には、係止環１０と係止して開閉扉８の開放をロックする、たとえばソレノイドなどによるロック機構１１が販売機１内に設けられている。
【００１９】
さらにこの開閉扉８には、密閉用容器２内に収容可能な被包装物のサイズを規制するためのサイズ検出手段１２が設けられているが、このサイズ検出手段１２は、開閉扉８で物品投入口３を閉塞したときに、既に販売機１内で位置されている密閉用容器２の開口部内に僅か入り込まれる供給物品サイズ検出パッド１３が設けられている。
【００２０】
この供給物品サイズ検出パッド１３は、上記開閉扉８に対してスプリング１４を介して変位可能に軸支されており、この供給物品サイズ検出パッド１３と一体に設けられている支軸１５の先端には、リミットスイッチ１６の作動片が配置されている。
【００２１】
また、上記物品投入口３の口径は、密閉用容器２の内径と略等しく形成して、密閉用容器２の開口に形成している鍔部が水平テーブル部４の下面で隠れるように形成して、密閉用容器２の鍔部のエッジが人の手に触れることがないようにして、利用者が密閉用容器２のエッジで怪我をすることがないようしている。
【００２２】
次ぎに、上記空容器待機部Ａに次いで設けられている蓋供給部Ｂについて説明すると、この蓋供給部Ｂには、特に図６乃至８で明らかであるように、上記密閉用容器２の開口を密閉するために用いられる、たとえば周知のプルトップタイプの金属性蓋板２１の多数枚を上下に積み重ね保持するための蓋板支持枠２２を有し、この蓋板支持枠２２の下端部には、蓋板支持枠２２によって積み重ね保持されている最下位置蓋板２１の一枚づつを、回転アーム１９の容器受孔２０内で支持されて運ばれてくる物品収納容器２の開口上に落下させて被せることができる蓋供給手段ｂを備えている。
【００２３】
すなわちこの蓋供給手段ｂは、積み重ねられて最下位置にある蓋板２１が落下しないように、その蓋板の辺縁部をその直径方向２個所で受け止める左右一対の下部受片２３と、これらの下部受片２３の上面で互いに摺動可能に重ねられており、かつ上下に重ねられている２枚の蓋板２１の間に差し込まれる刃２４を先端に形成した左右一対のそれぞれの上部受片２５を有している。
【００２４】
これら左右一対の下部受片２３のそれぞれには、下向突出のガイドピン２６Ａが突設されており、また左右一対の上部受片２５のそれぞれには、上向突出のガイドピン２６Ｂが突設されている。さらにそれら下部受片２３および上部受片２５の側面には、固定ガイド枠２７が配置されていて、それら下部受片２３および上部受片２５は、上記蓋板２１の半径方向Ｘにのみ摺動可能に設けられている。
【００２５】
上記左右の下部受片２３の下面には、水平方向に回動自在に設けられている下側カムリング２８Ａが当接されており、また左右の上部受片２５の上面には、下側カムリング２８Ａと上下平行に設けられている上側カムリング２８Ｂが当接されており、その下側カムリング２８Ａには、上記下部受片２３に取り付けられているガイドピン２６Ａが遊嵌される下側カム溝２９Ａが設けられており、また上側カムリング２８Ｂには、上記上部受片２５に取り付けられているガイドピン２６Ｂが遊嵌される上側カム溝２９Ｂが設けられている。
【００２６】
上記下側カムリング２８Ａと、上側カムリング２８Ｂとは、取付けねじ３０を介してアーム３１と一体的に結合されており、さらにこのアーム３１の先端には、ソレノイドなどからなる往復作動機３２の作動軸３３の先端が、連結ピン３４により軸支されている。
【００２７】
したがって、往復作動機３２が往復動作されるとこれに伴ない、下側，上側双方のカムリング２８Ａ，２８Ｂがその円周方向に回動し、この双方のカムリング２８Ａ，２８Ｂに設けられている下側カム溝２９Ａ，上側カム溝２９Ｂが周方向に変位する。これらカム溝２９Ａ，２９Ｂの変位に伴ないガイドピン２６Ａ，２６Ｂが変位し、これにより下部受片２３、および上部受片２５が互いに逆方向へスライドする構造となっていて、通常は、図４で示すように左右対称位置に配設されている双方の下部受片２３は、積み重ねられている最下位置の蓋板２１の辺縁部下側に位置されて、最下位の蓋板２１が落下しないように受け止めており、また上部受片２５の刃２４は、最下位置の蓋板２１とその上にある蓋板２１辺縁部間に位置されるように構成されている。
【００２８】
次ぎに、蓋供給部Ｂについで設けられている蓋密閉部Ｃについて述べると、この蓋密閉部Ｃには、回転アーム１９により運ばれてきた密閉用容器２と、この密閉用容器２に被された蓋板２１とをシールする容器シール手段ｃが設備されている。この容器シール手段ｃは、たとえば本出願人が既に開発し、実施をしている周知の缶密閉シール装置や、食品等を缶詰とする缶詰工場等で使用されている缶詰装置などを適宜選択して使用することが可能である。たとえばこのシール手段は、図５で示すように、密封用容器の開口の被されている蓋板を、シーミングチャック３５で密封用容器から外れないように保持させながら回転させ、シーミングロール３６でその周縁を加圧巻き込みすることで、所望の密閉シールがなされる。なお、本発明ではこの容器シール手段の構成を要旨とするものではないので、この容器シール手段の構成についての詳細説明については省略する。
【００２９】
次ぎに密閉容器排出部Ｄについて説明すると、この密閉容器排出部Ｄには、上記の蓋密閉部Ｃから回転アーム１９の回転により運ばれてきた物品封入後の密閉容器３７を、その回転アーム１９から離脱させて販売機１の外部へ排出せしめるための排出手段ｄが設けられている。
【００３０】
この排出手段ｄは、図９で示すように回転アーム１９の容器受孔２０内に嵌合保持される密閉容器３７を、その底部から押し上げて容器受孔２０より離脱せしめるためのガイドレール３８と、容器受孔２０から押し上げられた密閉容器３７を排出シューター３９へ案内するガイド４０を有している。この排出シューター３９は、上記排出口５に連通されている。
【００３１】
次ぎに空容器供給部Ｅの構成について説明すると、この空容器供給部Ｅには、密閉容器３７を排出して回動してきた回転アーム１９の容器受孔２０内に新たな空の密閉用容器２の一個を嵌合保持させるための空容器供給手段ｅが設けられている。この空容器供給手段ｅは、特に図１０および図１１に示すように、物品を密封包装するために使用する多数個の空の封入用容器２を上下に積み重ね保持するための容器支持枠４１を有し、この容器支持枠４１の下端部には、その容器支持枠４１によって積み重ね保持されている最下位の密閉用容器２の一枚づつを、回転アーム１９の容器受孔２０内に落下保持せしめる機構を備えている。
【００３２】
そして、この空容器供給手段ｅには、容器支持枠４１によって積み重ね保持されて最下位置にある封入用容器２が常時は落下しないように、その封入用容器２のフランジ部４２をその直径方向２個所で受け止める左右一対の下部受片２３と、これらの下部受片２３の上面で互いに摺動可能に重ねられており、かつ上下に重ねられている２個の封入用容器２の間に差し込まれる刃２４を先端に形成した左右一対のそれぞれの上部受片２５を有している。
【００３３】
つまり、この空容器供給手段ｅは、上記の蓋供給部Ｂに設けている蓋供給手段ｂの構成と同様であるので、その空容器供給手段ｅを示す特に図１０、図１１の図面については、蓋供給手段ｂの説明で付した符号と同一の符号を付してその構造説明を省略する。なお図３において示されている符号４３および４４は、上記の蓋供給部Ｂおよび空容器供給部Ｅにおいて設備されていて、回転アーム１９に保持されている封入用容器２を押し上げるために設けられている容器押し上げ機を示す。
【００３４】
次ぎに、上記構成の作用について説明する。
【００３５】
通常は、図２で示すように回転アーム１９の容器受孔２０内で嵌合保持されている密閉用容器２は、水平テーブル部４に設けられている物品投入口３の真下で待機されており、またその物品投入口３上には、開閉扉８がロック機構１１により開放不能に設けられていていて、悪戯で密閉用容器２内へ物品等を投入することができないようになっている。
【００３６】
そこで、所定サイズの物品を密封包装するために、所定額のコインをコイン投入口６に投入すると、ロック機構１１による係止環１０の係止力が解除されるので開閉扉８を人力で開放することができる。開閉扉８を開放すると、既に待機されている密閉用容器２が容器押し上げ機４３の動作で若干押し上げられて密閉用容器２の鍔部が水平テーブル部４の下面に近接位置されているので、上記物品投入口３より密閉用容器２内に包装をすべき物品を収納させることができる。
【００３７】
その物品収納後、開閉扉８を閉塞するが、仮にその収納物品のサイズが密閉用容器２からはみ出るような大きさであれば、開閉扉８を完全閉塞することができない。このことは、開閉扉８を閉塞しようとするときサイズ検出手段１２が密閉用容器２内の物品と当接され、これによりリミットスイッチ１６が動作して警報等により知らされる。
【００３８】
したがって適正なる大きさの物品でないと開閉扉８の閉塞が出来ず、次ぎの動作に進まない。適正大きさの物品が密閉用容器２内に収納されると、開閉扉８を閉塞することができ、これを検知して容器押し上げ機４３が降下し物品を収納した密閉用容器２が回転アーム１９により再度支持される。その直後に回転アーム１９が図２において反時計方向へ９０度回動し物品を収納した密閉用容器２が蓋供給部Ｂで停止される。
【００３９】
かくして、物品を収納した密閉用容器２が蓋供給部Ｂに運ばれてくると、往復動作機３２が動作して下側カムリング２８Ａおよび上側カムリング２８Ｂを、図７において反時計方向へ回動させる。このために図６で示すように、最下位の蓋板２１を支持していた左右双方の下部受片２３が、図８で示すように互いに離れる方向へ移動するとともに、左右双方の上部受片２５が互いに接近する方向へ移動するので、最下位にある蓋板２１が密閉用容器２上に落下される。
【００４０】
次いで往復動作機３２が復元すると下部受片２３および上部受片２５が図６で示す位置へ復元されるので、双方の下部受片２３により新たに最下位となった蓋板２１の辺縁を受け止めて、次ぎに運ばれてくる密閉用容器２上への落下準備状態となる。
【００４１】
上記のようにして物品を収納した密閉用容器２上に蓋板２１が被されると、回転アーム１９はさらに９０度反時計方向へ回動し、密閉用容器２は、蓋板２１と共に蓋密閉部Ｃに移送される。この蓋密閉部Ｃに到達した密閉用容器２および蓋板２１は、図３で示す押し上げ機４４の動作を受けて押し上げられ、次いで容器シール手段ｃの動作、つまりシーミングチャック３５およびシーミングロール３６の駆動力を受けて密閉用容器２の開口縁と、蓋板２１とが密閉状態にシーリングされ、密閉用容器２内に収納した物品の密閉包装が完了する。この容器シール手段ｃの動作は、周知構造で知られていることであるので、その動作説明を省略する。
【００４２】
かくして容器シール手段ｃによる密閉包装が終了すると、回転アーム１９は再度反時計方向へ９０度回動するが、この回転アーム１９の回動に伴ない、回転アーム１９に支持されている密閉容器３７の底部が、図９で示すようにガイドレール３８により押し上げられ、次いでその密閉容器３７ガイド４０２より押し倒されることにより排出シューター３９を経て排出口５に送り出され、使用者が受け取ることができる。
【００４３】
かくして密閉容器３７を離脱した回転アーム１９は、空容器供給部Ｅに達し、この空容器供給部Ｅでは、空容器供給手段ｅの動作により、回転アーム１９に設けられている容器受孔２０内に、この空容器供給部Ｅで多数個の密閉用容器２が積み重ね保持されている最下位の密閉用容器２である一個が落下供給される。
【００４４】
この空容器供給手段ｅの動作は、上記蓋供給手段ｂの動作と同様にして最下位にある密閉用容器２を容器受孔２０内に落下供給するものであるので、その空容器供給手段ｅの動作説明は省略する。
【００４５】
かくして、回転アーム１９の容器受孔２０内に、新たな空の密閉用容器２が嵌合保持されるとその回転アーム１９は、空の密閉用容器２とともに図２においてさらに反時計方向へ９０度回動し、容器待機部Ａに移りこの容器待機部Ａにて待機される。
【００４６】
そして次ぎのコインがコイン投入口６に投入されると、開閉扉８が再度開放し、回転アーム１９の容器受孔２０内で支持されている新たな密閉用容器２内に次ぎの物品を収納することができるようになる。以後上記各機構の動作が繰り返しなされて次ぎの物品の密閉包装がなされるものである。
【００４７】
【発明の効果】
以上の説明で明らかなように、本発明の自動密閉包装販売機は、所定額のコインをその機内に投入することで機内に準備されている所定の密閉用容器内に、包装すべき所定大きさの物品を収納することができ、その物品の収納が終えると一連の自動的動作で、物品を収納した容器の自動密閉包装がなされる。
【００４８】
したがって、本発明の自動密閉包装販売機を使用することで、文房具、雑貨等の所望大きさ以下の物品を密閉包装することができるので、購入した物品を缶詰めのようにタイムカプセル化したり、あるいは缶、瓶、樹脂容器等の適宜容器内に密閉包装した贈り物などを容易に作成することができる。
【００４９】
また本発明の自動密閉包装販売機に設けられている物品投入口は、常時は開閉扉により閉塞されており、コインを投入しない限り物品投入口は開放されないので、機内に設備されている密閉用容器内へ塵埃や汚物を不正に投げ込むといった悪戯を有効に防止することができる。
【００５０】
また本発明の請求項２に記載の自動密閉包装販売機によれば、物品供給手段に設けられている物品投入口の口径を、密閉用容器の内径と略等しく形成して、密閉用容器に形成されているシール用鍔の辺縁が、物品投入口の下側で隠蔽されるように構成しているので、密閉用容器に形成されているシール用鍔の辺縁に、使用者が触れて怪我をするなどの操作時の事故を未然に防止することができる。
【００５１】
また本発明の請求項３に記載の自動密閉包装販売機によれば、空の密閉用容器内に投入する物品の大きさを規制するサイズ検出手段を設けており、物品が密閉用容器内に確実に収められないと次ぎの動作に進行しないように構成されているので、物品の容器内での密閉が確実にできる。
【図面の簡単な説明】
【図１】本発明の実施の形態である自動密閉包装販売機の正面概略説明図である。
【図２】本発明の実施の形態である自動密閉包装販売機の平面概略説明図である。
【図３】本発明の実施の形態である自動密閉包装販売機の特に空容器待機部、および蓋密閉部の概略構成を示す要部断面説明図である。
【図４】本発明の実施の形態である自動密閉包装販売機の特に空容器待機部の構成を示す要部説明図である。
【図５】本発明の実施の形態である自動密閉包装販売機の特に蓋密閉部に使用されているシーミングチャックおよびシーミングロールの説明図である。
【図６】本発明の実施の形態である自動密閉包装販売機の蓋供給手段の要部説明図である。
【図７】本発明の実施の形態である自動密閉包装販売機の蓋供給手段の平面説明図である。
【図８】本発明の実施の形態である自動密閉包装販売機の蓋供給手段における上下双方の受片の動作説明図である。
【図９】本発明の実施の形態である自動密閉包装販売機の排出手段の動作説明図である。
【図１０】本発明の実施の形態である自動密閉包装販売機の空容器供給手段の要部説明図である。
【図１１】本発明の実施の形態である自動密閉包装販売機の空容器供給手段の平面説明図である。
【符号の説明】
１・・販売機
２・・密閉用容器
３・・物品投入口
４・・水平テーブル部
５・・排出口
６・・コイン投入口
７・・戻し口
８・・開閉扉
９・・ンジ
１０・・係止環
１１・・ロック機構
１２・・サイズ検出手段
１３・・供給物品サイズ検出パッド
１４・・スプリング
１５・・支軸
１６・・リミットスイッチ
１７・・モータ
１８・・垂直回転軸
１９・・回転アーム
２０・・容器受孔
２１・・蓋板
２２・・蓋板支持枠
２３・・下部受片
２４・・刃
２５・・上部受片
２６Ａ・・ガイドピン
２６Ｂ・・ガイドピン
２７・・固定ガイド枠
２８Ａ・・下側カムリング
２８Ｂ・・上側カムリング
２９Ａ・・下側カム溝
２９Ｂ・・上側カム溝
３０・・取付けねじ
３１・・アーム
３２・・往復作動機
３３・・作動軸
３４・・連結ピン
３５・・シーミングチャック
３６・・シーミングロール
３７・・密閉容器
３８・・ガイドレール
３９・・排出シューター
４０・・ガイド
４１・・容器支持枠
４２・・フランジ部
４３，４４・・容器押し上げ機
Ａ・・空容器待機部
Ｂ・・蓋供給部
Ｃ・・蓋密閉部
Ｄ・・密閉容器排出部
Ｅ・・空容器供給部
ａ・・物品供給手段
ｂ・・蓋供給手段
ｃ・・容器シール手段
ｄ・・排出手段
ｅ・・空容器供給手段
【図１】
2004070774.tif 000003
【図２】
2004070774.tif 000004
【図３】
2004070774.tif 000005
【図４】
2004070774.tif 000006
【図５】
2004070774.tif 000007
【図６】
2004070774.tif 000008
【図７】
2004070774.tif 000009
【図８】
2004070774.tif 000010
【図９】
2004070774.tif 000011
【図１０】
2004070774.tif 000012
【図１１】
2004070774.tif 000013